(57)【要約】【課題】浴槽の上と洗い場の上とを跨いで付属設備を設置することができる、または強度もしくは安定性を確保することができる浴室の天井構造を提供することを目的とする。【解決手段】浴槽と、浴槽と並列して配置された洗い場と、浴槽および洗い場の四方に立設された壁材と、を有する浴室の天井に設けられる浴室の天井構造であって、浴槽および洗い場の両方に接続された壁材のうちの１つに沿うように浴室の一端から他端にわたって延在し、浴槽の上方と洗い場の上方とを跨いで壁材の上端部に取り付け固定される浴室用付属設備と、浴槽および洗い場の並列方向と平行方向に並列して配置され壁材の上端部に取り付け固定される複数の天井パネルであって、浴室用付属設備の側の端縁部が浴室用付属設備により支持される複数の天井パネルと、を備えたことを特徴とする浴室の天井構造が提供される。【選択図】図２
2014185461.tif 000002
【特許請求の範囲】
【請求項１】
浴槽と、前記浴槽と並列して配置された洗い場と、前記浴槽および前記洗い場の四方に立設された壁材と、を有する浴室の天井に設けられる浴室の天井構造であって、
前記浴槽および洗い場の両方に接続された前記壁材のうちの１つに沿うように前記浴室の一端から他端にわたって延在し、前記浴槽の上方と前記洗い場の上方とを跨いで前記壁材の上端部に取り付け固定される浴室用付属設備と、
前記浴槽および前記洗い場の並列方向と平行方向に並列して配置され前記壁材の上端部に取り付け固定される複数の天井パネルであって、前記浴室用付属設備の側の端縁部が前記浴室用付属設備により支持される複数の天井パネルと、
を備えたことを特徴とする浴室の天井構造。
【請求項２】
前記浴室用付属設備は、前記浴室の内部を照らす照明装置であることを特徴とする請求項１記載の浴室の天井構造。
【請求項３】
前記照明装置は、前記延在の方向に沿って設けられる補強材を有することを特徴とする請求項２記載の浴室の天井構造。
【請求項４】
前記浴室用付属設備は、
前記天井パネルに形成された被嵌合部が嵌合する嵌合突起と、
前記複数の天井パネルを互いに繋ぐ連結部と、
を有することを特徴とする請求項１〜３のいずれか１つに記載の浴室の天井構造。
【請求項５】
前記浴室用付属設備は、前記連結部の高さを調整可能な高さ調整手段をさらに有することを特徴とする請求項４記載の浴室の天井構造。
【発明の詳細な説明】
【技術分野】
【０００１】
本発明の態様は、一般的に、浴室の天井構造に関する。
【背景技術】
【０００２】
一般的に、ユニットバス風の浴室の天井においては、複数の天井パネルが並べられることが多い。この場合、複数の天井パネルの並列方向は、浴槽と洗い場との並列方向と略平行となる。例えば、第１の天井パネルが浴槽の上に設けられ、第２の天井パネルが洗い場の上に設けられている。また、例えば照明装置などのような付属設備が浴室の天井に埋め込まれ設置される場合には、付属設備は、天井パネルに設けられた開口部を通して天井パネルの上面に取り付けられる。
【０００３】
これに対して、浴槽の上と洗い場の上とを跨いで照明装置などのような付属設備を設置したいという要望がある。この要望は、照明装置に限定されず、例えば浴室内に風を送る送風装置などの他の付属装置でも存在する。  
しかし、浴槽の上と洗い場の上とを跨いで付属設備を設置すると、天井構造の強度および天井構造の安定性について問題が生ずるおそれがある。
【先行技術文献】
【特許文献】
【０００４】
【特許文献１】特開平４−９２０５７号公報
【特許文献２】特開２００２−２１６５１８号公報
【発明の概要】
【発明が解決しようとする課題】
【０００５】
本発明は、かかる課題の認識に基づいてなされたものであり、浴槽の上と洗い場の上とを跨いで付属設備を設置することができる、または強度もしくは安定性を確保することができる浴室の天井構造を提供することを目的とする。
【課題を解決するための手段】
【０００６】
第１の発明は、浴槽と、前記浴槽と並列して配置された洗い場と、前記浴槽および前記洗い場の四方に立設された壁材と、を有する浴室の天井に設けられる浴室の天井構造であって、前記浴槽および洗い場の両方に接続された前記壁材のうちの１つに沿うように前記浴室の一端から他端にわたって延在し、前記浴槽の上方と前記洗い場の上方とを跨いで前記壁材の上端部に取り付け固定される浴室用付属設備と、前記浴槽および前記洗い場の並列方向と平行方向に並列して配置され前記壁材の上端部に取り付け固定される複数の天井パネルであって、前記浴室用付属設備の側の端縁部が前記浴室用付属設備により支持される複数の天井パネルと、を備えたことを特徴とする浴室の天井構造である。
【０００７】
この浴室の天井構造によれば、複数の天井パネルの並列方向に延在する長尺な浴室用付属設備を、複数の天井パネルの端縁部に配置することができる。これにより、洗い場の上方と浴槽の上方とを跨いで浴室用付属設備を設けることができる。そして、複数の天井パネルの端縁部を、壁材では支持できない一方で浴室用付属設備で支持することができる。これにより、強度および安定性を確保した浴室の天井構造を得ることができる。
【０００８】
第２の発明は、第１の発明において、前記浴室用付属設備は、前記浴室の内部を照らす照明装置であることを特徴とする浴室の天井構造である。
【０００９】
この浴室の天井構造によれば、１つの照明装置が設けられているときでも、その照明装置は、洗い場および浴槽を跨ぐ比較的長い範囲から浴室の内部を照らすことができる。そのため、洗い場と浴槽とにおいて略同一の明るさを得ることができる。これにより、例えば洗い場で身体を洗っているときと、浴槽に浸かっているときと、で略同一の明るさを得ることができる。
【００１０】
第３の発明は、第２の発明において、前記照明装置は、前記延在の方向に沿って設けられる補強材を有することを特徴とする浴室の天井構造である。
【００１１】
この浴室の天井構造によれば、補強材は、照明装置の上下方向の変形を抑えることができる。そのため、比較的長尺の光源を用いることができる。
【００１２】
第４の発明は、第１〜３のいずれか１つの発明において、前記浴室用付属設備は、前記天井パネルに形成された被嵌合部が嵌合する嵌合突起と、前記複数の天井パネルを互いに繋ぐ連結部と、を有することを特徴とする浴室の天井構造である。
【００１３】
この浴室の天井構造によれば、浴室用付属設備と複数の天井パネルとの間、および複数の天井パネル同士の間に隙間が生ずることを抑えることができる。そのため、天井においてシールが切れることを抑えることができる。また、浴室用付属設備と複数の天井パネルとをより安定的に固定することができる。
【００１４】
第５の発明は、第４の発明において、前記浴室用付属設備は、前記連結部の高さを調整可能な高さ調整手段をさらに有する事を特徴とする浴室の天井構造である。
【００１５】
この浴室の天井構造によれば、浴室用付属設備および複数の天井パネルの少なくともいずれかが寸法誤差を有していても、高さ調整手段は、浴室用付属設備の下面の高さおよび複数の天井パネルの下面の高さを略一致させることができる。そのため、段差を抑えたより美しい浴室の天井構造が得られる。
【発明の効果】
【００１６】
本発明の態様によれば、浴槽の上と洗い場の上とを跨いで付属設備を設置することができる、または強度もしくは安定性を確保することができる浴室の天井構造が提供される。
【図面の簡単な説明】
【００１７】
【図１】本発明の実施の形態にかかる浴室の天井構造を備える浴室ユニットを例示する模式的斜視図である。
【図２】本発明の他の実施の形態にかかる浴室の天井構造を備える浴室ユニットを例示する模式的平面図である。
【図３】本実施形態にかかる浴槽の天井構造を表す模式図である。
【図４】本実施形態の浴室用付属設備を表す模式図である。
【図５】本実施形態の第１の天井パネルを表す模式的斜視図である。
【図６】本実施形態の第２の天井パネルを表す模式的斜視図である。
【図７】本実施形態の第１の天井パネルを図５に表した矢視Ｂ１の方向にみたときの模式的平面図である。
【図８】本実施形態の連結部を表す模式的斜視図である。
【図９】本実施形態にかかる浴室の天井構造を組み立て工程の一例を例示する模式的斜視図である。
【図１０】本実施形態にかかる浴室の天井構造を組み立て工程の一例を例示する模式的斜視図である。
【図１１】本実施形態にかかる浴室の天井構造を組み立て工程の一例を例示する模式的斜視図である。
【図１２】本実施形態にかかる浴室の天井構造を組み立て工程の一例を例示する模式的斜視図である。
【図１３】本実施形態にかかる浴室の天井構造を組み立て工程の一例を例示する模式的斜視図である。
【発明を実施するための形態】
【００１８】
以下、本発明の実施の形態について図面を参照しつつ説明する。なお、各図面中、同様の構成要素には同一の符号を付して詳細な説明は適宜省略する。  
図１は、本発明の実施の形態にかかる浴室の天井構造を備える浴室ユニットを例示する模式的斜視図である。  
図２は、本発明の他の実施の形態にかかる浴室の天井構造を備える浴室ユニットを例示する模式的平面図である。  
図２（ａ）および図２（ｂ）は、本実施形態の浴室ユニットを上方から眺めた模式的平面図である。図２（ｂ）では、説明の便宜上、天井材および浴室用付属設備を省略している。
【００１９】
図１に表した浴室ユニット１０は、洗い場１００と、浴槽２００と、壁材３００と、天井材４００と、浴室用付属設備５００と、を備える。  
洗い場１００は、周縁部が上側に折り曲げられた浅底の器状（パン状）に形成され、浴室外部に水を漏出させない防水性を有する。なお、本願明細書において「水」という場合には、冷水のみならず、加温されたお湯も含むものとする。  
浴槽２００は、洗い場１００と並列して配置されている。
【００２０】
壁材３００は、洗い場１００および浴槽２００の少なくともいずれかの上に立設され、浴室ユニット１０の４面を形成する。壁材３００は、第１の壁パネル３１０と、第２の壁パネル３２０と、第３の壁パネル３３０と、図示しない第４の壁パネル３４０（図２参照）と、を有する。例えば、図示しないドアが図示しないドア枠を介して第４の壁パネル３４０に設けられている。なお、第１〜４の壁パネル３１０、３２０、３３０、３４０のそれぞれは、複数のパネルを有していてもよい。
【００２１】
洗い場１００および浴槽２００の上方には、天井材４００および浴室用付属設備５００が設けられている。  
天井材４００は、複数の天井パネルを有し、壁材３００の上端部に取り付け固定されている。図１に表した浴室ユニット１０および図２に表した浴室ユニット２０では、天井材４００は、第１の天井パネル４１０と、第２の天井パネル４２０と、を有する。第１の天井パネル４１０および第２の天井パネル４２０は、並べて配置されている。具体的には、第１の天井パネル４１０および第２の天井パネル４２０の並列方向Ａ１は、洗い場１００および浴槽２００の並列方向Ａ２と略平行である。
【００２２】
なお、図２（ａ）および図２（ｂ）に表した浴室ユニット２０のように、第２の壁パネル３２０からみたときの洗い場１００と浴槽２００との配設位置は、図１に表した浴室ユニット１０において第２の壁パネル３２０からみたときの洗い場１００と浴槽２００との配設位置と反対であってもよい。この場合でも、第１の天井パネル４１０および第２の天井パネル４２０の並列方向Ａ１は、洗い場１００および浴槽２００の並列方向Ａ２と略平行である。
【００２３】
浴室用付属設備５００は、比較的長尺な形状を有し、壁材３００の上端部に取り付け固定されている。浴室用付属設備５００は、洗い場１００および浴槽２００の両方に接続された壁材３００のうちの１つ（図１および図２では第２の壁パネル３２０）に沿って浴室ユニット１０の一端から他端にわたって設置されている。つまり、浴室用付属設備５００は、洗い場１００と浴槽２００との境界部を横断している。あるいは、浴室用付属設備５００は、洗い場１００の上方と浴槽２００の上方とを跨いで設置されている。図１に表した浴室ユニット１０では、浴室用付属設備５００は、第１の壁パネル３１０から第３の壁パネル３３０まで延在している。
【００２４】
浴室用付属設備５００は、例えば浴室内を照らす照明装置などである。あるいは、浴室用付属設備５００は、例えば浴室内に風を送る送風装置などである。あるいは、浴室用付属設備５００は、例えば浴室内を換気する換気装置などである。以下では、浴室用付属設備５００が照明装置である場合を例に挙げて説明する。
【００２５】
図３は、本実施形態にかかる浴槽の天井構造を表す模式図である。  
図４は、本実施形態の浴室用付属設備を表す模式図である。  
図５は、本実施形態の第１の天井パネルを表す模式的斜視図である。  
図６は、本実施形態の第２の天井パネルを表す模式的斜視図である。  
図７は、本実施形態の第１の天井パネルを図５に表した矢視Ｂ１の方向にみたときの模式的平面図である。  
図８は、本実施形態の連結部を表す模式的斜視図である。
【００２６】
図３（ａ）は、本実施形態にかかる浴室の天井構造を表す模式的斜視図である。図３（ｂ）は、図３（ａ）に表した切断面Ａ−Ａにおける模式的断面図である。図４（ａ）は、本実施形態の浴室用付属設備を表す模式的斜視図である。図４（ｂ）は、図４（ａ）に表した切断面Ｂ−Ｂにおける模式的断面図である。
【００２７】
図３（ａ）および図３（ｂ）に表したように、本実施形態にかかる浴室の天井構造４０は、第１の天井パネル４１０と、第２の天井パネル４２０と、浴室用付属設備５００と、を有する。  
図３（ｂ）、図４（ａ）および図４（ｂ）に表したように、浴室用付属設備５００は、付属設備本体５１０と、カバー部５２０と、照明具５３０と、連結部５４０と、を有する。
【００２８】
付属設備本体５１０は、例えば繊維強化プラスチック（ＦＲＰ：Fiber Reinforced Plastics）などの樹脂により形成され、例えば発光ダイオード（ＬＥＤ：Light Emitting Diode）などの照明具５３０を内蔵する。
【００２９】
カバー部５２０は、例えばアルミニウム（Ａｌ）などの金属により形成され、付属設備本体５１０の上部に固定されている。例えば、カバー部５２０は、接着剤により付属設備本体５１０の上部に接着されている。図４（ａ）に表したように、カバー部５２０は、貫通孔５２３を有する。また、付属設備本体５１０は、カバー部５２０の貫通孔５２３の下方において図示しない貫通孔を有する。
【００３０】
図３（ｂ）に表したように、第２の壁パネル３２０は、上端部において上方に突出した雄ねじ３２１を有する。雄ねじ３２１は、第２の壁パネル３２０の上端部に固定されている。付属設備本体５１０およびカバー部５２０は、第２の壁パネル３２０の雄ねじ３２１が付属設備本体５１０の図示しない貫通孔およびカバー部５２０の貫通孔５２３に通された状態で第２の壁パネル３２０の上端部に載置されている。そして、例えば蝶ねじなどの雌ねじ５５９が第２の壁パネル３２０の雄ねじ３２１と螺合することで、付属設備本体５１０およびカバー部５２０は、第２の壁パネル３２０の上端部に取り付け固定されている。
【００３１】
図３（ｂ）および図４（ｂ）に表したように、カバー部５２０の一端部には、嵌合突起５２１が設けられている。嵌合突起５２１は、上方へ突出している。  
一方、図３（ｂ）、図５および図７に表したように、第１の天井パネル４１０は、矩形状を呈し、各辺において、第１の結合部４１５と、第２の結合部４１６と、第３の結合部４１７と、第４の結合部４１８と、を有する。図３（ｂ）および図７に表したように、第１の結合部４１５の側面には、被嵌合部４１１が付設されている。被嵌合部４１１は、カバー部５２０の嵌合突起５２１と嵌合可能である。つまり、第１の天井パネル４１０の第１の結合部４１５が設けられた端縁部は、被嵌合部４１１がカバー部５２０の嵌合突起５２１と嵌合することで浴室用付属設備５００に支持されている。
【００３２】
図２（ａ）に表したように、第２の結合部４１６は、第３の壁パネル３３０の上端部と嵌合する。第３の結合部４１７は、第４の壁パネル３４０の上端部と嵌合する。これにより、第１の天井パネル４１０は、浴室用付属設備５００に支持されるとともに、第３の壁パネル３３０および第４の壁パネル３４０に取り付け固定されている。
【００３３】
図６に表したように、第２の天井パネル４２０は、矩形状を呈し、各辺において、第１の結合部４２５と、第２の結合部４２６と、第３の結合部４２７と、第４の結合部４２８と、を有する。図３（ｂ）および図７に関して前述した第１の天井パネル４１０の被嵌合部４１１と同様に、第１の結合部４２５の側面には、図示しない被嵌合部が付設されている。第２の天井パネル４２０の図示しない被嵌合部は、カバー部５２０の嵌合突起５２１と嵌合可能である。つまり、第２の天井パネル４２０の第１の結合部４２５が設けられた端縁部は、図示しない被嵌合部がカバー部５２０の嵌合突起５２１と嵌合することで浴室用付属設備５００に支持されている。
【００３４】
図２（ａ）に表したように、第２の結合部４２６は、第１の天井パネル４１０の第４の結合部４１８と嵌合する。第３の結合部４２７は、第４の壁パネル３４０の上端部と嵌合する。第４の結合部４２８は、第１の壁パネル３１０の上端部と嵌合する。これにより、第２の天井パネル４２０は、浴室用付属設備５００に支持されるとともに、第１の壁パネル３１０および第４の壁パネル３４０に取り付け固定されている。
【００３５】
図５に表したように、第１の天井パネル４１０の第１の結合部の一端部には、雄ねじ４１３が設けられている。雄ねじ４１３は、第１の天井パネル４１０の第１の結合部４１５の上面から上方へ向かって突出している。  
図６に表したように、第２の天井パネル４２０の第１の結合部の一端部には、雄ねじ４２３が設けられている。雄ねじ４２３は、第２の天井パネル４２０の第１の結合部４２５の上面から上方へ向かって突出している。
【００３６】
図８に表したように、連結部５４０は、貫通孔５４１を有する。連結部５４０は、第１の天井パネル４１０の雄ねじ４１３および第２の天井パネル４２０の雄ねじ４１３のそれぞれが連結部５４０の貫通孔５４１に通された状態で、浴室用付属設備５００、第１の天井パネル４１０および第２の天井パネル４２０の上に載置されている。つまり、連結部５４０は、浴室用付属設備５００、第１の天井パネル４１０および第２の天井パネル４２０の上を跨いで設置されている。そして、例えば蝶ねじなどの雌ねじ５５９が第１の天井パネル４１０の雄ねじ４１３および第２の天井パネル４２０の雄ねじ４１３のそれぞれに螺合することで、連結部５４０は、第１の天井パネル４１０および第２の天井パネル４２０の上部に取り付け固定されている。これにより、連結部５４０は、第１の天井パネル４１０と第２の天井パネル４２０とを繋いでいる。
【００３７】
このとき、図３（ｂ）に表したように、連結部５４０とカバー部５２０との間には、高さ調整手段５５１が介在している。高さ調整手段５５１としては、例えばライナなどが用いられる。あるいは、高さ調整手段５５１は、浴室用付属設備５００、第１の天井パネル４１０および第２の天井パネル４２０の少なくともいずれかの高さをねじなどにより調整可能な調整機構を有していてもよい。
【００３８】
これによれば、浴室用付属設備５００、第１の天井パネル４１０および第２の天井パネル４２０の少なくともいずれかが寸法誤差を有していても、高さ調整手段５５１は、浴室用付属設備５００の下面の高さ、第１の天井パネル４１０の下面の高さおよび第２の天井パネルの下面の高さを略一致させることができる。そのため、段差を抑えたより美しい浴室の天井構造４０が得られる。
【００３９】
また、図３（ｂ）および図４（ｂ）に表したように、浴室用付属設備５００は、浴室用付属設備５００自身の長尺方向に延在する補強材５５５を有する。補強材５５５は、例えばカバー部５２０の上面であって嵌合突起５２１の近傍の上面に付設されている。  
これによれば、補強材５５５は、浴室用付属設備５００の上下方向の変形を抑えることができる。そのため、浴室用付属設備５００が照明装置である場合には、長尺の光源を用いることができる。
【００４０】
本実施形態によれば、第１の天井パネル４１０および第２の天井パネル４２０の並列方向Ａ１に延在する長尺な浴室用付属設備５００を、第１の天井パネル４１０の端縁部および第２の天井パネル４２０の端縁部に配置することができる。これにより、洗い場１００の上方と浴槽２００の上方とを跨いで浴室用付属設備５００を設けることができる。そして、第１の天井パネル４１０の端縁部および第２の天井パネル４２０の端縁部を、壁材３００では支持できない一方で浴室用付属設備５００で支持することができる。これにより、強度および安定性を確保した浴室の天井構造４０を得ることができる。
【００４１】
また、浴室用付属設備５００が照明装置である場合では、１つの照明装置が設けられているときでも、その照明装置は、洗い場１００および浴槽２００を跨ぐ比較的長い範囲から浴室内を照らすことができる。そのため、洗い場１００と浴槽２００とにおいて略同一の明るさを得ることができる。これにより、例えば洗い場１００で身体を洗っているときと、浴槽２００に浸かっているときと、で略同一の明るさを得ることができる。
【００４２】
また、浴室用付属設備５００は、第１の天井パネル４１０の被嵌合部４１１および第２の天井パネル４２０の図示しない被嵌合部と嵌合可能な嵌合突起５２１を有する。また、連結部５４０は、浴室用付属設備５００、第１の天井パネル４１０および第２の天井パネル４２０の上を跨いで設置されている。これにより、浴室用付属設備５００と、第１の天井パネル４１０および第２の天井パネル４２０と、の間、ならびに第１の天井パネル４１０と、第２の天井パネル４２０と、の間に隙間が生ずることを抑えることができる。そのため、天井材４００においてシールが切れることを抑えることができる。また、浴室用付属設備５００と、第１の天井パネル４１０および第２の天井パネル４２０と、をより安定的に固定することができる。
【００４３】
次に、本実施形態にかかる浴室の天井構造を組み立て工程の一例について、図面を参照しつつ説明する。  
図９〜図１３は、本実施形態にかかる浴室の天井構造を組み立て工程の一例を例示する模式的斜視図である。
【００４４】
まず、図９に表したように、壁材３００（第１〜４の壁パネル３１０、３２０、３３０、３４０）が洗い場１００の上に立設された状態において、付属設備本体５１０およびカバー部５２０を第２の壁パネル３２０の上端部に取り付け固定する。具体的には、付属設備本体５１０の図示しない貫通孔およびカバー部５２０の貫通孔５２３に第２の壁パネル３２０の雄ねじ３２１を通し、付属設備本体５１０およびカバー部５２０を第２の壁パネル３２０の上端部に載置する。そして、例えば蝶ねじなどの雌ねじ５５９を第２の壁パネル３２０の雄ねじ３２１と締結させる。  
なお、図９〜図１３に表した壁材３００では、第１の壁パネル３１０がドア枠３１１を有している。
【００４５】
続いて、図１０に表したように、第１の天井パネル４１０を浴室用付属設備５００に支持させるとともに、第３の壁パネル３３０および第４の壁パネル３４０に取り付け固定する。具体的には、第１の天井パネル４１０の被嵌合部４１１をカバー部５２０の嵌合突起５２１と嵌合させる。また、第１の天井パネル４１０の第２の結合部４１６を第３の壁パネル３３０の上端部と嵌合させ、第１の天井パネル４１０の第３の結合部４１７を第４の壁パネル３４０の上端部と嵌合させる。
【００４６】
続いて、図１１に表したように、第２の天井パネル４２０を浴室用付属設備５００に支持させるとともに、第１の壁パネル３１０および第４の壁パネル３４０に取り付け固定する。具体的には、第２の天井パネル４２０の図示しない被嵌合部をカバー部５２０の嵌合突起５２１と嵌合させる。また、第２の結合部４２６を第１の天井パネル４１０の第４の結合部４１８と嵌合させる。さらに、第３の結合部４２７を第４の壁パネル３４０の上端部と嵌合させ、第４の結合部４２８を第１の壁パネル３１０の上端部と嵌合させる。
【００４７】
続いて、第１の天井パネル４１０および第２の天井パネル４２０の上部に連結部５４０を取り付け固定する。具体的には、図１２に表したように、第２の天井パネル４２０に設けられた点検口４２９を通して、浴室用付属設備５００、第１の天井パネル４１０および第２の天井パネル４２０の上を跨いで連結部５４０を設置する。そして、図１３に表したように、例えば蝶ねじなどの雌ねじ５５９を第１の天井パネル４１０の雄ねじ４１３および第２の天井パネル４２０の雄ねじ４１３と締結させる。
【００４８】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、壁材３００、天井材４００および浴室用付属設備５００などが備える各要素の形状、寸法、材質、配置などや天井材４００および浴室用付属設備５００の設置形態などは、例示したものに限定されるわけではなく適宜変更することができる。例えば、天井パネルの結合部を壁パネルの上端部に嵌合させるのに代えて、付属設備本体５００と同様に、壁パネルの上端部に設けた雄ねじを天井パネルの結合部に形成した貫通孔を通して蝶ねじなどの雌ねじを螺合することで、取り付け固定してもよい。また、天井材４００は、２枚の天井パネル４１０、４２０を並べるのに代えて、３枚の天井パネルを付属設備本体５００の長尺方向に並べて配置させてもよい。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００４９】
１０、２０ 浴室ユニット、  ４０ 天井構造、  １００ 洗い場、  ２００ 浴槽、  ３００ 壁材、  ３１０ 第１の壁パネル、  ３１１ ドア枠、  ３２０ 第２の壁パネル、  ３２１ 雄ねじ、  ３３０ 第３の壁パネル、  ３４０ 第４の壁パネル、  ４００ 天井材、  ４１０ 第１の天井パネル、  ４１１ 被嵌合部、  ４１３ 雄ねじ、  ４１５ 第１の結合部、  ４１６ 第２の結合部、  ４１７ 第３の結合部、  ４１８ 第４の結合部、  ４２０ 第２の天井パネル、  ４２３ 雄ねじ、  ４２５ 第１の結合部、  ４２６ 第２の結合部、  ４２７ 第３の結合部、  ４２８ 第４の結合部、  ４２９ 点検口、  ５００ 浴室用付属設備、  ５１０ 付属設備本体、  ５２０ カバー部、  ５２１ 嵌合突起、  ５２３ 貫通孔、  ５３０ 照明具、  ５４０ 連結部、  ５４１ 貫通孔、  ５５１ 調整手段、  ５５５ 補強材、  ５５９ 雌ねじ
【図１】
2014185461.tif 000003
【図２】
2014185461.tif 000004
【図３】
2014185461.tif 000005
【図４】
2014185461.tif 000006
【図５】
2014185461.tif 000007
【図６】
2014185461.tif 000008
【図７】
2014185461.tif 000009
【図８】
2014185461.tif 000010
【図９】
2014185461.tif 000011
【図１０】
2014185461.tif 000012
【図１１】
2014185461.tif 000013
【図１２】
2014185461.tif 000014
【図１３】
2014185461.tif 000015